(57)【要約】【課題】  複合機をプリンタとして使用する際に排出された用紙の状況を容易に確認することができると共に、排出された用紙の取り出しも容易に行うことができ、これによって事務作業の効率化に貢献する。【解決手段】  原稿画像を読み取る原稿読取り部１２を備えた複写機、回線を介した画像情報の送受信を行い得るように構成されたファクシミリ装置およびコンピュータから電送されてきた画像情報の印刷出力に使用されるプリンタのいずれかとして選択的に使用可能に構成され複合機１０であり、かかる複合機１０において、転写処理済みの用紙Ｐが排出される用紙排出部１７が本体部１１の構成要素である装置本体１１１の頂部に設けられ、原稿読取り部１２は、用紙排出部１７の上面開口を覆う覆い姿勢Ｓ１と、装置本体１１１の背面側に収納される収納姿勢Ｓ２との間で姿勢変更可能に構成されている。【選択図】      図７
2006276620.tif 000002
【特許請求の範囲】
【請求項１】
原稿画像を読み取る原稿読取り部と、所定の用紙に対し画像形成動作を行う本体部とを備えた画像形成装置であって、
転写処理済みの用紙が排出される用紙排出部が前記本体部の頂部に設けられ、
前記原稿読取り部は、前記用紙排出部の上面開口を覆う覆い姿勢と、前記本体部の背面側または側面側に収納される収納姿勢との間で姿勢変更可能に構成されていることを特徴とする画像形成装置。
【請求項２】
請求項１記載の画像形成装置であって、原稿画像を読み取る原稿読取り部を備えた複写機、回線を介した画像情報の送受信を行い得るように構成されたファクシミリ装置およびコンピュータから電送されてきた画像情報の印刷出力に使用されるプリンタのいずれかとして選択的に使用可能に構成された複合機であることを特徴とする画像形成装置。
【請求項３】
前記原稿読取り部は、所定の筐体を備えるものであり、かつ、当該原稿読取り部を姿勢変更させる姿勢変更構造を有し、
前記姿勢変更構造は、前記原稿読取り部の前記筐体の側面から突設された突起が所定の軌跡に沿って移動することにより前記原稿読取り部を姿勢変更させ得るように構成されていることを特徴とする請求項１または２記載の画像形成装置。
【請求項４】
前記姿勢変更構造は、前記突起としての前記筐体の側面の略中央位置に設けられた上部連結軸回りに回動可能に軸支されている一方、下端部が前記装置本体の側板の背面側に設けられた下部連結軸回りに回動可能に軸支されたリンクロッドを有していることを特徴とする請求項３記載の画像形成装置。
【請求項５】
前記装置本体は、背面側の上縁部に周面が外部に突出した支持ローラを有している一方、前記筐体は、前記支持ローラの周面に当接されるガイドレールを備えていることを特徴とする請求項４記載の画像形成装置。
【請求項６】
前記原稿読取り部は、前記筐体の上面のコンタクトガラスに当接される閉止姿勢と、コンタクトガラスから離間した開放姿勢との間で姿勢変更可能に構成された原稿押え用蓋体を有し、所定の操作を行うことでこの原稿押え用蓋体の閉止姿勢を維持させる閉止維持部材を備えていることを特徴とする請求項１乃至４のいずれかに記載の画像形成装置。
【発明の詳細な説明】
【技術分野】
【０００１】
本発明は、複写機、ファクシミリ装置およびプリンタ等のいずれかとして選択的に使用可能に構成された複合機としての画像形成装置に関するものであり、特に、当該複合機をプリンタとして使用するときの利便性を図り得る画像形成装置に関するものである。
【背景技術】
【０００２】
画像形成装置は、その用途に応じて、主に原稿画像を読み取る原稿読取り装置を備えた複写機や、回線を介した画像情報の送受信を行い得るように構成されたファクシミリ装置、さらにはコンピュータから電送されてきた画像情報の印刷出力に使用されるプリンタの３種類が存在するが、近年、これら各単能機の機能を全て兼ね備え、用途に応じて選択的に各単能機の機能を利用することが可能に構成された、特許文献１に記載されているようないわゆる複合機が注目されている。
【０００３】
かかる複合機を採用すると、単能機をそれぞれ設ける場合に比較して１台の画像形成装置で賄うことができるため、その分場所が取られず、事務作業空間の有効活用に貢献することができると共に、コスト的にも有利になる。
【０００４】
一方、近年、画像形成装置から排出された用紙を受ける排出トレイを装置本体の頂部に設けた、いわゆる洞内排出タイプのものも注目されている。かかる胴内排出タイプの画像形成装置によれば、従来のように排紙トレイを装置本体から外部に突出させる必要がなくなるため、その分スペースの有効利用に寄与することができる。
【０００５】
このようなことから、最近では、複合機を対象とした胴内排出タイプの画像形成装置が注目されている。因みに、特許文献１の複合機は、胴内排出タイプのものではない。
【特許文献１】特開２００３−８７４６３号公報
【発明の開示】
【発明が解決しようとする課題】
【０００６】
ところで、胴内排出タイプの複合機においては、装置本体の頂部の排出トレイに覆い被さるようにして原稿読取り装置が設けられているため、排出トレイに覆い被さった原稿読取り装置が邪魔になって排出された用紙の状況を確認することが困難であるばかりか、排出された用紙の取り出しが容易でないという不都合が存在する。かかる不都合は、当該複合機をプリンタとして使用する頻度が多いユーザーにとって作業効率の面から切実な問題になる。
【０００７】
本発明は、このような状況に鑑みなされたものであって、複合機を対象とし、当該複合機をプリンタとして使用する際に排出された用紙の状況を容易に確認することができると共に、排出された用紙の取り出しも容易に行うことができ、これによって事務作業の効率化に貢献することが可能な画像形成装置を提供することを目的としている。
【課題を解決するための手段】
【０００８】
請求項１記載の発明は、原稿画像を読み取る原稿読取り部と、所定の用紙に対し画像形成動作を行う本体部とを備えた画像形成装置であって、転写処理済みの用紙が排出される用紙排出部が前記本体部の頂部に設けられ、前記原稿読取り部は、前記用紙排出部の上面開口を覆う覆い姿勢と、前記本体部の背面側または側面側に収納される収納姿勢との間で姿勢変更可能に構成されていることを特徴とするものである。
【０００９】
かかる構成によれば、画像形成装置を、上部に原稿読取り部、その下部に画像形成部および両者の間に用紙排出部を備えたもの、すなわち胴内排出タイプのものとして省スペース状態で使用することができる。一方、原稿読取り部を本体部の背面側あるいは側面側に収納することで用紙排出部を外部から視認し易い状態にすることができる。
【００１０】
請求項２記載の発明は、請求項１記載の画像形成装置であって、原稿画像を読み取る原稿読取り部を備えた複写機、回線を介した画像情報の送受信を行い得るように構成されたファクシミリ装置およびコンピュータから電送されてきた画像情報の印刷出力に使用されるプリンタのいずれかとして選択的に使用可能に構成された複合機であることを特徴とするものである。
【００１１】
かかる構成によれば、原稿読取り部を覆い姿勢に姿勢設定することにより、当該原稿読取り部が用紙排出部の上面開口を覆った状態で装置本体の頂部に位置設定されるため、このような状態の複合機を複写機またはファクシミリ装置として使用することができる。
【００１２】
これに対し、複合機をプリンタとして使用するに際しては、原稿読取り部を覆い姿勢から装置本体の背面側に収納される収納姿勢に姿勢変更することにより、用紙排出部の上面開口が外部に露出した状態になるため、用紙排出部に排紙された用紙の状態を原稿読取り部に邪魔されることなく容易に視認することが可能になる。従って、複合機をプリンタとして使用する頻度が多い場合には、原稿読取り部を収納姿勢に姿勢設定しておくことにより、複合機を利用した事務作業の効率化が達成される。
【００１３】
請求項３記載の発明は、請求項１記載の発明において、前記原稿読取り部は、所定の筐体を備えるものであり、かつ、当該原稿読取り部を姿勢変更させる姿勢変更構造を有し、前記姿勢変更構造は、前記原稿読取り部の前記筐体の側面から突設された突起が所定の軌跡に沿って移動することにより前記原稿読取り部を姿勢変更させ得るように構成されていることを特徴とするものである。
【００１４】
かかる構成によれば、原稿読取り部を移動させることにより、筐体の側面から突設された突起が所定の軌跡に沿うように移動し、これによって当該原稿読取り部は覆い姿勢と収納姿勢との間で姿勢変更する。
【００１５】
請求項３記載の発明は、請求項１記載の発明において、前記原稿読取り部は、所定の筐体を備えるものであり、かつ、当該原稿読取り部を姿勢変更させる姿勢変更構造を有し、前記姿勢変更構造は、前記原稿読取り部の前記筐体の側面から突設された突起が所定の軌跡に沿って移動することにより前記原稿読取り部を姿勢変更させ得るように構成されていることを特徴とするものである。
【００１６】
かかる構成によれば、原稿読取り部を移動させることにより、筐体の側面から突設された突起が所定の軌跡に沿うように移動し、これによって当該原稿読取り部は覆い姿勢と収納姿勢との間で姿勢変更する。
【００１７】
請求項４記載の発明は、請求項３記載の発明において、前記姿勢変更構造は、前記突起としての前記筐体の側面の略中央位置に設けられた上部連結軸回りに回動可能に軸支されている一方、下端部が前記装置本体の側板の背面側に設けられた下部連結軸回りに回動可能に軸支されたリンクロッドを有していることを特徴とするものである。
【００１８】
かかる構成によれば、覆い姿勢に姿勢設定されている原稿読取り部を背面側に向けて押圧することにより、リンクロッドが上下の連結軸回りに回動して上部連結軸が下部連結軸を中心とした円軌跡に沿うように移動し、これによって原稿読取り部は、一旦上昇した後に下降する。そして、当該原稿読取り部は、下降するに際し背面側が装置本体の背面側から後方に向かって突出した状態になり、この状態で下面が装置本体の背面上縁部に当接した状態になるため、以後、この当接状態を維持したまま前記円軌跡に沿いつつ装置本体の背面に沿って下降する。そして、この下降が継続されることにより原稿読取り部は、最後にその裏面側が装置本体の背面に密着した収納姿勢に姿勢設定される。
【００１９】
収納姿勢に姿勢設定された原稿読取り部を元の覆い姿勢に姿勢変更するに際しては、当該原稿読取り部を持ち上げるようにすればよい。こうすることによって原稿読取り部は、先の姿勢変更と逆の動きをして元の覆い姿勢に姿勢変更される。
【００２０】
このように姿勢変更構造として装置本体の側面と原稿読取り部の筐体の側面との間に相対回動可能に介設されるリンクロッドを備えて構成することにより、当該姿勢変更構造を極めて簡単な構造にすることができ、しかも良好な操作性が確保された上で装置コストの低減化が達成される。
【００２１】
請求項５記載の発明は、請求項４記載の発明において、前記装置本体は、背面側の上縁部に周面が外部に突出した支持ローラを有している一方、前記筐体は、前記支持ローラの周面に当接されるガイドレールを備えていることを特徴とするものである。
【００２２】
かかる構成によれば、原稿読取り部の姿勢変更に際し、当該原稿読取り部の筐体の裏面に設けられたガイドレールが装置本体の背面側上縁部に設けられたローラの周面に当接するため、このローラの回転で姿勢変更が円滑に行われる。
【００２３】
請求項６記載の発明は、請求項１乃至４のいずれかに記載の発明において、前記原稿読取り部は、前記筐体の上面のコンタクトガラスに当接される閉止姿勢と、コンタクトガラスから離間した開放姿勢との間で姿勢変更可能に構成された原稿押え用蓋体を有し、所定の操作を行うことでこの原稿押え用蓋体の閉止姿勢を維持させる閉止維持部材を備えていることを特徴とするものである。
【００２４】
かかる構成によれば、ブック原稿などの大容量物の原稿面から原稿情報を読み取るに際しては、原稿押え用蓋体を開放姿勢に姿勢設定した状態で、当該原稿面をコンタクトガラスに当接させるように大容量物をコンタクトガラス上に載置することで当該大容量物の原稿面の画像情報が読み取られる。これに対し、原稿押え用蓋体に原稿束から原稿を１枚ずつ繰り出させてコンタクトガラス上に送り込む自動給紙構造を設けることにより、原稿押え用蓋体を閉止姿勢に姿勢設定した状態で原稿束を当該原稿押え蓋体に装填することで１枚ずつの原稿の自動的な読取りが行われる。
【００２５】
そして、このような原稿押え用蓋体の閉止姿勢を維持させる閉止維持部材が設けられているため、原稿読取り部を覆い姿勢から収納姿勢に姿勢変更するに際し、この排紙維持部材を操作して原稿押え蓋体を原稿押え部材の筐体と一体化させることにより、原稿押え用蓋体が筐体から離間するような不都合の発生が確実に防止される。
【発明の効果】
【００２６】
請求項１記載の発明によれば、原稿読取り部は、用紙排出部の上面開口を覆う覆い姿勢と、本体部の背面側または側面側に収納される収納姿勢との間で姿勢変更可能に構成されているため、画像形成装置を、上部に原稿読取り部、その下部に画像形成部および両者の間に用紙排出部を備えたもの、すなわち胴内排出タイプのものとして省スペース状態で使用することができる。一方、原稿読取り部を本体部の背面側あるいは側面側に収納することで用紙排出部を外部から視認し易い状態にすることができる。
【００２７】
請求項２記載の発明によれば、複合機をプリンタとして使用するに際しては、原稿読取り部を覆い姿勢から装置本体の背面側に収納される収納姿勢に姿勢変更することにより、用紙排出部の上面開口が外部に露出した状態になるため、用紙排出部に排紙された用紙の状態を原稿読取り部に邪魔されることなく容易に視認することができ、これによって、複合機をプリンタとして使用する頻度が多い場合には、原稿読取り部を収納姿勢に姿勢設定しておくことにより、事務作業の効率化を達成することができる。また、原稿読取り部を完全に取り外してしまわないので、必要なときには、直ちに元の複写機等として使用し得る状態に復元することができる。
【００２８】
請求項３記載の発明によれば、原稿読取り部を移動させることにより、筐体の側面から突設された突起が所定の軌跡に沿うように移動し、これによって当該原稿読取り部を覆い姿勢と収納姿勢との間で姿勢変更させることができる。
【００２９】
請求項４記載の発明によれば、姿勢変更構造として装置本体の側面と原稿読取り部の筐体の側面との間に相対回動可能に介設されるリンクロッドを備えて構成することにより、当該姿勢変更構造を極めて簡単な構造にすることで装置コストの低減化を達成することができると共に、良好な操作性を確保することができる。
【００３０】
請求項５記載の発明によれば、原稿読取り部の姿勢変更に際し、当該原稿読取り部の筐体の裏面に設けられたガイドレールが装置本体の背面側上縁部に設けられたローラの周面に当接するため、このローラの回転で原稿読取り部の姿勢変更を円滑に行うことができる。
【００３１】
請求項６記載の発明によれば、原稿押え用蓋体の閉止姿勢を維持させる閉止維持部材が設けられているため、原稿読取り部を覆い姿勢から収納姿勢に姿勢変更するに際し、この排紙維持部材を操作して原稿押え蓋体を原稿押え部材の筐体と一体化させることにより、原稿押え用蓋体が筐体から離間するような不都合の発生を確実に防止することができる。
【発明を実施するための最良の形態】
【００３２】
図１は、本発明に係る複合機１０の第１の実施形態を示す外観斜視図であり、図２は、その内部構造の一実施形態を説明するための正面断面視の説明図である。なお、これらの図において、Ｘ−Ｘ方向を幅方向または左右方向、Ｙ−Ｙ方向を前後方向といい、特に−Ｘ方向を左方、＋Ｘ方向を右方、−Ｙ方向を前方、＋Ｙ方向を後方という。
【００３３】
まず、図１に示すように、複合機（画像形成装置）１０は、箱形を呈した装置本体１１１内に画像形成用の各種の機器が装着されてなる本体部１１と、原稿Ｍの原稿画像を読み取るべく本体部１１の上面に姿勢変更可能に装着された原稿読取り部１２とを備えた基本構成を有している。前記原稿読取り部１２は、装置本体１１１の上面を覆った覆い姿勢Ｓ１（図１、図３）と、装置本体１１１の背面（後面）に当接された状態で収納される収納姿勢Ｓ２（図６）との間で姿勢変更可能になっている。このような原稿読取り部１２の詳細については後に説明する。
【００３４】
前記本体部１１は、各種サイズの用紙Ｐを当該サイズに合わせてそれぞれ貯留するように構成された用紙貯留部１３と、この画像形成部１３から給紙された用紙に対して転写処理を施す画像形成部１４と、この画像形成部１４で転写処理が施された用紙Ｐに対してトナー像の定着処理を施す定着部１５と、用紙Ｐに対して両面印刷処理を施すときに当該用紙Ｐに反転処理を施す用紙反転部１６とが装置本体１１１に内装されるとともに、装置本体１１１の頂部に排紙部１５で定着処理が施された用紙Ｐが排紙される用紙排出部１７が形成されることによって構成されている。
【００３５】
前記用紙貯留部１３は、装置本体１１１に挿脱自在に装着された複数段（本実施形態では４段）の用紙トレイ１３１を有している。本実施形態においては、図２に示すように、最上段の用紙トレイ１３１はＡ４サイズの用紙Ｐ用のものであり、以下順次下方に向かってＡ３サイズ用、Ｂ５サイズ用およびＢ４サイズ用の用紙トレイ１３１が設けられている。そして、各用紙トレイ１３１には、それぞれ予め設定されたサイズの用紙束Ｐ１が貯留され、選択された用紙トレイ１３１の用紙束からピックアップローラ１３２の駆動で用紙Ｐが１枚ずつ繰り出され、給紙搬送路１３３を通って画像形成部１４へ導入されるようになっている。
【００３６】
前記画像形成部１４は、用紙貯留部１３から給紙された用紙にトナー画像を形成させるものであり、本実施形態では、上流側（図２の紙面の右側）から下流側へ向けて順次配設されたイエロー用ユニット１４Ｙと、マゼンタ用ユニット１４Ｍと、シアン用ユニット１４Ｃと、ブラック用ユニット１４Ｋとを有している。
【００３７】
各ユニット１４Ｙ，１４Ｍ，１４Ｃ，１４Ｋには、感光体ドラム１４１および現像装置１４２がそれぞれ備えられている。各感光体ドラム１４１は、図２において時計方向へ向けて回転しつつ対応した現像装置１４２からトナーの供給を受けるようになっている。
【００３８】
各感光体ドラム１４１の図２における上方左寄りの位置には帯電器１４３がそれぞれ設けられているとともに、同上方右寄りの位置には露光装置１４４がそれぞれ設けられている。そして、各感光体ドラム１４１は、前記帯電器１４３によって周面が一様に帯電され、原稿読取部１２で読み取られた画像データや、図略のコンピュータあるいは相手方のファクシミリ装置から電送されてきた画像データに基づくレーザー光が前記各露光装置１４４から帯電後の感光体ドラム１４１の周面に照射されることにより、各感光体ドラム１４１の周面に静電潜像が形成されるようになっている。かかる静電潜像に現像装置１４２からトナーが供給されることにより、感光体ドラム１４１の周面にトナー像が形成されるようになっている。
【００３９】
また、各感光体ドラム１４１の図２における左方下部位置には感光体ドラム１４１の周面の残留トナーを除去してクリーニングするクリーニング装置１４５が設けられている。このクリーニング装置１４５によって清浄化処理された感光体ドラム１４１の周面は、新たな帯電処理のために帯電器１４３へ向かうことになる。
【００４０】
各感光体ドラム１４１の下方位置には、搬送面が各感光体ドラム１４１と対向するように配設された搬送ベルト１４６が設けられている。この搬送ベルト１４６は、イエロー用ユニット１４Ｙの若干上流側に設けられた駆動ローラ１４７と、ブラック用ユニット１４Ｋの若干下流側に設けられた従動ローラ１４８とに掛け回され、駆動ローラ１４７の回転駆動によって周回するようになっている。
【００４１】
また、各感光体ドラム１４１の直下位置には、搬送ベルト１４６を介して転写ローラ１４９がそれぞれ対向配置されている。そして、搬送ベルト１４６によって搬送されつつある用紙Ｐには、この転写ローラ１４９によって感光体ドラム１４１周面のトナー像の電荷と逆極性の電荷が付与されるようになっている。従って、用紙貯留部１３から供給された用紙Ｐは、この搬送ベルト１４６の周回に誘導されて感光体ドラム１４１の周面に当接しながら移動しつつ、転写ローラ１４９による前記逆極性の電荷の付与で転写処理が確実に施されるようになっている。
【００４２】
前記定着部１５は、画像形成部１４で転写された用紙上のトナー像に対し定着処理を施すものであり、上下で互いに対向配置されたヒートローラ１５１と加圧ローラ１５２とを備えている。搬送ベルト１４６の周回によって画像形成部１４から導出された転写処理済の用紙は、これらヒートローラ１５１および加圧ローラ１５２間で加熱されつつ押圧挟持されることによる熱処理でトナー画像が用紙Ｐ上に定着され、用紙上に安定したカラー画像が形成されるようになっている。定着処理の完了したカラー画像付の用紙は、排紙搬送路１１２を通って装置本体１１１の上部に形成された用紙排出部１７へ向けて排出されることになる。
【００４３】
前記用紙反転部１６は、用紙Ｐに対して両面印刷処理を施すときに用いられる部分であり、画像形成部１４と用紙貯留部１３との間に介設された、片面に定着処理後の画像を有する用紙Ｐを一時的に貯留する中間トレイ１６１と、定着部１５の直下流位置に設けられ、定着処理後の用紙Ｐに対して排紙搬送路１１２および返送搬送路１１３のいずれか一方に用紙Ｐを振り分ける切換ガイド１６２と、一旦中間トレイ１６１に排紙された用紙Ｐを後端側から排紙する反転ローラ対１６３とを備えている。
【００４４】
そして、前記切換ガイド１６２の切り換え操作によって返送搬送路１１３および反転ローラ対１６３を介して一旦中間トレイ１６１へ排紙された用紙Ｐは、反転ローラ対１６３の逆回転によって後端側から排出され、反転搬送路１１４を通って給紙搬送路１３３へ向わせられるようになっている。この給紙搬送路１３３へ供給された表裏反転後の用紙Ｐは、再度画像形成部１４へ供給されることにより裏面側に対して転写処理が施されることになる。
【００４５】
前記用紙排出部１７は、定着部１５によって定着処理が施され、排紙搬送路１１２を通って排紙される用紙Ｐを受けるためのものであり、図１に示すように、装置本体１１１の上面が下方に向けて凹没されることによって形成された、いわゆる胴内排紙タイプと称されるものである。かかる用紙排出部１７は、装置本体１１１の上面の左右の側縁部（上面側縁部１７１）および上面後縁部１７２（図５参照）除いて中央部分が凹没されることによって構成されている。かかる凹没部分の底面によって排紙トレイ１７３が形成されている。かかる排紙トレイ１７３の左方位置に形成された垂直壁面には排紙搬送路１１２からの用紙Ｐを排紙トレイ１７３上に排紙するための前後方向に延びた排紙口１７４が設けられている。
【００４６】
前記排紙トレイ１７３は、排紙口１７４側が最下位レベルに設定され、右方に向かって高さレベルが漸増するように上面が上に凸の円弧状に形成されている。排紙口１７４から排紙された用紙Ｐは、かかる円弧状の面に案内されることにより排紙トレイ１７３上に円滑に排出されるようになっている。
【００４７】
前記原稿読取部１２は、光学系ユニット２３が内装された扁平な直方体状の筐体２０と、この筐体２０の上部に開閉可能に積み重ねられた自動原稿送給装置（原稿押え用蓋体）３０とを備えて構成されている。前記筐体２０の天板２１には、原稿Ｍの画像を読み取るためのコンタクトガラス２２（図４）が装着されている。
【００４８】
かかるコンタクトガラス２２は、裏向けで載置された原稿の原稿面を読み取るための、自動原稿送給装置３０の平面形状より若干小さい長方形状の載置原稿用コンタクトガラス２２１と、自動原稿送給装置３０によって自動給紙された原稿の原稿面を読み取る前後方向に長尺の細長い自動給紙用コンタクトガラス２２２とを備えている。
【００４９】
一方、装置本体１１１の上面側縁部１７１間における用紙排出部１７の前方位置には、画像形成処理に対する各種の指示を入力操作すると共に、入力内容や処理結果等を出力するためのパネルボード６０が設けられている。このパネルボード６０の左右方向の略中央位置には、図１に示すように、液晶からなる表示パネル６１が設けられているとともに、この表示パネル６１の右側にテンキー６２が配列されている。また、このテンキー６２の右側にはスタートボタン６３が設けられているとともに、前記表示パネル６１の左側にはモード切換えキー６４が設けられている。前記表示パネル６１は、各種の入力情報や出力情報を液晶表示したり、表示された処理条件の内で選択したものについてタッチイン操作で入力したりするものである。また、前記テンキー６２は、コピー枚数などの主に数量情報を設定するためのものである。
【００５０】
前記モード切換えキー６４は、画像形成装置１０のモードを切り換えるためのものであり、本実施形態においては、画像形成装置１０を複写機として使用するときに押下されるコピーキー６５と、プリンタとして使用するときに押下されるプリンタキー６６と、ファクシミリとして使用するときに押下されるファクシミリキー６７と、原稿画像をコンピューターへの入力用として読み取るときに押下されるスキャナキー６８とからなっている。
【００５１】
前記スタートボタン６３は、画像形成装置１０に対する各種の処理条件が設定された状態で押下されるものであり、この押下によって設定された処理条件に沿う画像形成処理が実行されることになる。なお、パネルボード４０には、これら表示パネル６１、テンキー６２、スタートボタン６３およびモード切換えキー６４の他にも、必要に応じて各種のキーやボタンが設けられる。
【００５２】
前記光学系ユニット２３は、装置本体１１１内でコンタクトガラス２２を介して自動原稿送給装置３０と対向配置されるものであり、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿情報としてＣＣＤに入力されるようになっている。ＣＣＤに入力されたアナログ量としての原稿情報は、デジタル信号に変換され、デジタルの原稿情報として所定の記憶装置に記憶されるようになっている。
【００５３】
前記自動原稿送給装置３０は、二段構造で構成され、上段に設けられた原稿Ｍを載置するための原稿トレイ３１と、下段に設けられた画像読み取り済の原稿Ｍが排紙される原稿排出トレイ３２とを有している。自動原稿送給装置３０の左側部には、原稿トレイ３１と原稿排出トレイ３２との間に介設された原稿送り部３３が形成され、この原稿送り部３３に設けられた図略の原稿送り機構によって原稿トレイ３１上に載置された原稿Ｍの束から１枚ずつがピックアップされて自動給紙用コンタクトガラス２２２へ供給され、移動しながらこの自動給紙用コンタクトガラス２２２を介して光学系ユニット２３によリ原稿面の画像が読み取られるようになっている。
【００５４】
このように構成された複合機１０において、本発明では原稿読取り部１２が姿勢変更構造４０の作用によって装置本体１１１の上面に載置されて用紙排出部１７の上面開口を覆う覆い姿勢Ｓ１と、装置本体１１１の背面側に収納された収納姿勢Ｓ２との間で姿勢変更可能になっている。
【００５５】
以下、図３〜図６を基に、姿勢変更構造４０について説明する。図３および図４は、原稿読取り部１２が覆い姿勢Ｓ１に姿勢設定された状態を示す斜視図であり、図３は、自動原稿送給装置３０が閉止姿勢Ｓ３に姿勢設定された状態、図４は、自動原稿送給装置３０が開放姿勢Ｓ４に姿勢設定された状態をそれぞれ示している。また、図５は、自動原稿送給装置３０が覆い姿勢Ｓ１から収納姿勢Ｓ２へ向けて姿勢変更しつつある状態を示す斜視図であり、図６は、自動原稿送給装置３０が収納姿勢Ｓ２に姿勢設定された状態を示す斜視図である。なお、図３〜図６におけるＸおよびＹによる方向表示（−Ｘ：左方、＋Ｘ：右方、−Ｙ：前方、＋Ｙ後方）は図１の場合と同様である。
【００５６】
図３〜図６に示すように、姿勢変更構造４０は、装置本体１１１の左右の側壁（側板）１１１ａにそれぞれ設けられた幅方向（左右方向）一対のリンクロッド４１（図３および図６では右方のリンクロッド４１のみが示されている。）と、装置本体１１１の背面側の上縁部に設けられた幅方向一対の支持ローラ４２（図５）と、これらの支持ローラ４２と対向するように自動原稿送給装置３０の裏面側に設けられた前後方向に延びる幅方向一対のガイドレール４３（図２、図５）とを備えて構成されている。
【００５７】
前記リンクロッド４１は、上端部が前記筐体２０の側面の略中央位置に設けられた上部連結軸４４回りに回動可能に軸支されていると共に、下端部が前装置本体１１１の側壁１１１ａの背面側に設けられた下部連結軸４５回りに回動可能に軸支され、原稿読取り部１２が覆い姿勢Ｓ１に姿勢設定された状態で筐体２０の側面から後方に向かって斜めになっている。本実施形態においては、自動原稿送給装置３０が覆い姿勢Ｓ１に姿勢設定された状態で、リンクロッド４１の水平面に対する角度が略４５°になるように下部連結軸４５の設置位置が設定されている。
【００５８】
かかるリンクロッド４１によれば、自動原稿送給装置３０が閉止姿勢Ｓ３に姿勢設定された状態の原稿読取り部１２が、図３に示すように、覆い姿勢Ｓ１に姿勢設定された状態で当該原稿読取り部１２の筐体２０を手作業で後方に向かって押圧することにより、原稿読取り部１２は、上部連結軸４４回りに時計方向に向けて自転しながら下部連結軸４５回りに時計方向に向けて公転し（図５参照）、リンクロッド４１が下部連結軸４５の軸心を通る垂直線より後方に向けて傾いたときには、自身の重みで下部連結軸４５回りに時計方向へ向けて公転しながら上部連結軸４４回りに反時計方向に向けて自転しつつ下降する。そして、原稿読取り部１２は、最後に図６に示すように、その裏面を装置本体１１１の背面に当接させた収納姿勢に姿勢設定されることになる。
【００５９】
前記一対の支持ローラ４２および一対のガイドレール４３は、原稿読取り部１２のリンクロッド４１を介した姿勢変更動作を援助するためのものである。まず、一対の支持ローラ４２は、装置本体１１１の上面後縁部１７２の後方角部でローラ軸４２１（図５、図７）回りに回転自在に軸支されている。かかる支持ローラ４２は、その周面の一部が上方および後方の双方に向かって若干突出するように設置位置が設定され、これによって原稿読取り部１２の裏面側が常に当該支持ローラ４２に当接するようになっている。
【００６０】
前記一対のガイドレール４３は、原稿読取り部１２の裏面側の支持ローラ４２に対する当接状態を安定化させるためのものであり、各支持ローラ４２と対向した状態で原稿読取り部１２の裏面側に前後方向に延びるように設けられている。従って、原稿読取り部１２は、ガイドレール４３が支持ローラ４２の周面に当接し当該支持ローラ４２を回転させながら姿勢変更するため、原稿読取り部１２の姿勢変更動作が安定する。
【００６１】
かかるガイドレール４３は、前端部が最大厚み寸法に設定され、後方に向かうに従い厚み寸法が漸減するように後方に向かって先細りに形成されている。そして、前端部の厚み寸法は、支持ローラ４２が装置本体１１１の上面後縁部１７２から上方へ突出した突出量と同一に設定され、これによって原稿読取り部１２は、図３に示すように、覆い姿勢Ｓ１に姿勢設定された状態で水平状態が維持されるようになっている。
【００６２】
そして、本実施形態においては、原稿読取り部１２が収納姿勢Ｓ２に姿勢変更された状態で自動原稿送給装置３０が閉止姿勢Ｓ４に姿勢変更して自動原稿送給装置３０から突出してしまうのを防止するために、所定の操作を行うことでこの自動原稿送給装置３０の閉止姿勢Ｓ３を維持させる閉止維持部材５０（図４）が筐体２０に設けられている。
【００６３】
この閉止維持部材５０は、筐体２０側に設けられた係止爪５１と、この係止爪５１を操作する操作レバー５２とを備えて構成され、前記操作レバー５２を正逆操作することで係止爪５１が筐体２０の上面から上方に突出して自動原稿送給装置３０を係止する係止姿勢と、筐体２０内に没入することでこの係止を解除する解除姿勢との間で姿勢変更するようになっている。
【００６４】
一方、自動原稿送給装置３０の裏面における係止爪５１と対向した位置には、係止爪５１を挿通させる係止孔３４（図３、図４）が設けられ、係止爪５１は、操作レバー５２の一方向への操作で係止姿勢に姿勢設定されることによりこの係止孔３４に嵌り込んで筐体２０を係止するようになっている。操作レバー５２を他方向に操作することによって係止爪５１の筐体２０に対する係止が解除されることになる。
【００６５】
図７は、本発明の作用を説明するための複合機１０の右側面図であり、（イ）は、原稿読取り部１２が覆い姿勢Ｓ１に姿勢設定された状態、（ロ）は、原稿読取り部１２が覆い姿勢Ｓ１から収納姿勢Ｓ２へ向けて姿勢変更されつつある状態、（ハ）は、原稿読取り部１２が収納姿勢Ｓ２に姿勢設定された状態をそれぞれ示している。
【００６６】
まず、図７の（イ）に示すように、原稿読取り部１２が覆い姿勢Ｓ１に姿勢設定された状態では、当該原稿読取り部１２は、装置本体１１１の上面に積み重ねられて排紙トレイ１７３の上面開口を閉止し、かつ、筐体２０の後縁部がガイドレール４３を介して支持ローラ４２に支持された状態になっている。複合機１０は、この状態で複写機あるいはファクシミリ装置、さらにはスキャナーとして使用される。
【００６７】
複合機１０をプリンタとして使用する頻度が多いときは、覆い姿勢Ｓ１に姿勢設定されている原稿読取り部１２に対して姿勢変更操作を行い、当該原稿読取り部１２を収納姿勢Ｓ２に姿勢変更させる。この姿勢変更のために、筐体２０を前方（図７の左方）から後方に向かって手作業で押圧する。そうすると、ガイドレール４３の支持ローラ４２の周面に対する当接状態が維持されつつ、ガイドレール４３が当該支持ローラ４２をローラ軸４２１回りに回転させながら、原稿読取り部１２は、図７の（ロ）に示すように、上部連結軸４４回りに自転しながら下部連結軸４５回りに公転しつつ覆い姿勢Ｓ１から収納姿勢Ｓ２に向けて姿勢変更していくことになる。
【００６８】
そして、原稿読取り部１２は、その自転および公転が完了すると、図７の（ハ）に示すように、装置本体１１１の背面に当接した収納姿勢Ｓ２に姿勢設定された状態になる。
【００６９】
逆に収納姿勢Ｓ２に姿勢設定された原稿読取り部１２を覆い姿勢Ｓ１に戻すに際しては、図７の（ハ）に示す状態の原稿読取り部１２を上方に持ち上げればよい。こうすることによって原稿読取り部１２は、運動軌跡がリンクロッド４１の下部連結軸４５回りの回転運動に規制されつつ図７の（ロ）に示す状態を経由して図７の（イ）に示す元の覆い姿勢Ｓ１に戻ることになる。
【００７０】
以上詳述したように、本発明に係る複合機１０は、原稿画像を読み取る原稿読取り部１２を備えた複写機、回線を介した画像情報の送受信を行い得るように構成されたファクシミリ装置およびコンピュータから電送されてきた画像情報の印刷出力に使用されるプリンタのいずれかとして選択的に使用可能に構成されたものを前提とするものである。
【００７１】
そして、かかる複合機１０において、転写処理済みの用紙Ｐが排出される用紙排出部１７が本体部１１の構成要素である装置本体１１１の頂部に設けられ、原稿読取り部１２は、用紙排出部１７の上面開口を覆う覆い姿勢Ｓ１と、装置本体１１１の背面側に収納される収納姿勢Ｓ２との間で姿勢変更可能に構成されているため、原稿読取り部１２を覆い姿勢Ｓ１に姿勢設定することにより、当該原稿読取り部１２が用紙排出部１７の上面開口を覆った状態で装置本体１１１の頂部に位置設定され、かかる状態の複合機を複写機またはファクシミリ装置として使用することができる。なお、原稿読取り部１２が覆い姿勢Ｓ１に姿勢設定された状態でも複合機１０をプリンタとして使用することができるが、複合機１０をプリンタとして使用する場合、原稿読取り部１２は不要であるため、原稿読取り部１２が覆い姿勢Ｓ１に姿勢設定される必要性はない。
【００７２】
そして、複合機をプリンタとして使用するに際しては、原稿読取り部１２を覆い姿勢Ｓ１から装置本体１１１の背面側に収納される収納姿勢Ｓ２に姿勢変更することにより、用紙排出部１７の上面開口が外部に露出した状態になるため、用紙排出部１７に排紙された用紙Ｐの状態を原稿読取り部１２に邪魔されることなく容易に視認することができる。従って、複合機をプリンタとして使用する頻度が多い場合には、原稿読取り部１２を予め収納姿勢Ｓ２に姿勢設定しておくことにより、排出された用紙Ｐの状況を容易に視認することができると共に、用紙排出部１７からの取り出しも容易になり、これによって複合機１０を用いた事務作業の効率化を達成することができる。
【００７３】
また、原稿読取り部１２を姿勢変更させる姿勢変更構造４０が設けられ、姿勢変更構造４０は、装置本体１１１の側面と、内部に光学系ユニット２３を備えた原稿読取り部１２の筐体２０の側面との間に相対回動可能に介設されるリンクロッド４１を備えて構成され、リンクロッド４１は、上端部が筐体２０の側面の略中央位置に設けられた上部連結軸４４回りに回動可能に軸支されている一方、下端部が装置本体１１１の側壁１１１ａの背面側に設けられた下部連結軸４５回りに回動可能に軸支されているため、覆い姿勢Ｓ１に姿勢設定されている原稿読取り部１２を背面側に向けて手作業で押圧することにより、リンクロッド４１が上下の連結軸４４，４５回りに回動して上部連結軸４４が下部連結軸４５を中心とした円軌跡に沿うように移動（公転）し、これによって原稿読取り部１２は、一旦上昇した後に下降する。
【００７４】
そして、当該原稿読取り部１２は、下降するに際し背面側が装置本体１１１の背面側から後方に向かって突出した状態になり、この状態で下面が装置本体１１１の背面上縁部に当接した状態になるため、以後、この当接状態を維持したまま円軌跡に沿いつつ装置本体１１１の背面に沿って下降する。そして、この下降が継続されることにより原稿読取り部１２は、最後にその裏面側が装置本体１１１の背面に密着した収納姿勢Ｓ２に姿勢設定される。
【００７５】
収納姿勢Ｓ２に姿勢設定された原稿読取り部１２を元の覆い姿勢Ｓ１に姿勢変更するに際しては、当該原稿読取り部１２を持ち上げるようにすればよい。こうすることによって原稿読取り部１２は、先の姿勢変更と逆の動きをして元の覆い姿勢Ｓ１に姿勢変更することができる。
【００７６】
このように姿勢変更構造４０として装置本体１１１の側面と原稿読取り部１２の筐体２０の側面との間に相対回動可能に介設されるリンクロッド４１を備えて構成することにより、当該姿勢変更構造４０を極めて簡単な構造にすることができ、しかも良好な操作性が確保された上で装置コストの低減化を達成することができる。
【００７７】
また、装置本体１１１は、背面側の上縁部に周面が外部に突出した支持ローラ４２を有している一方、筐体２０は、支持ローラ４２の周面に当接されるガイドレール４３を備えているため、原稿読取り部１２の姿勢変更に際し、当該原稿読取り部１２の筐体２０の裏面に設けられたガイドレール４３が装置本体１１１の背面側上縁部に設けられたローラの周面に当接し、この支持ローラ４２の回転で原稿読取り部１２を円滑に姿勢変更させることができる。
【００７８】
さらに、原稿読取り部１２は、筐体２０の上面のコンタクトガラス２２に当接される閉止姿勢Ｓ３と、コンタクトガラス２２から離間した開放姿勢Ｓ４との間で姿勢変更可能に構成された原稿押え用蓋体としての自動原稿送給装置３０を有しているため、ブック原稿などの大容量物の原稿面から原稿情報を読み取るに際しては、自動原稿送給装置３０を開放姿勢Ｓ４に姿勢設定した状態で、当該原稿面をコンタクトガラス２２に当接させるように大容量物をコンタクトガラス２２上に載置することで当該大容量物の原稿面の画像情報を読み取ることができる。これに対し、自動原稿送給装置３０に原稿束から原稿Ｍを１枚ずつ繰り出させてコンタクトガラス２２上に送り込む原稿送り部３３を設けることにより、自動原稿送給装置３０を閉止姿勢Ｓ３に姿勢設定した状態で原稿束を当該自動原稿送給装置３０に装填することで１枚ずつの原稿Ｍの自動的な読取りを行うことができる。
【００７９】
そして、このような自動原稿送給装置３０の閉止姿勢Ｓ３を維持させる閉止維持部材５０が設けられているため、原稿読取り部１２を覆い姿勢Ｓ１から収納姿勢Ｓ２に姿勢変更するに際し、この排紙維持部材を操作して原稿押え蓋体を原稿押え部材の筐体２０と一体化させることにより、自動原稿送給装置３０が筐体２０から離間するような不都合の発生を確実に防止することができる。
【００８０】
本発明は上記の実施形態に限定されるものではなく、以下の内容をも包含するものである。
【００８１】
（１）上記の実施形態においては、複合機１０は、モード切換えキー６４のコピーキー６５、プリンタキー６６およびファクシミリキー６７のいずれを押釦するかで当該複合機１０を複写機、プリンタあるいはファクシミリとして使用することができるようになっているが、本発明は、当該機能の選択を複写機、プリンタおよびファクシミリの３機能から選択するものであることに限定されるものではなく、複合機１０が複写機とプリンタとの２つの機能を備えたものである場合、複写機の機能とプリンタの機能とからの二者択一であってもよいし、複合機１０がファクシミリ装置とプリンタとの２つの機能を備えたものである場合、ファクシミリ装置の機能とプリンタの機能とからの二者択一であってもよい。
【００８２】
（２）上記の実施形態においては、原稿押え用蓋体として原稿Ｍの束から１枚ずつを原稿送り部３３へ送り込み、自動給紙用コンタクトガラス２２２を介して順番に原稿画像を読み取る自動原稿送給装置３０を採用しているが、本発明は、原稿押え用蓋体として自動原稿送給装置３０を採用することに限定されるものではなく、載置原稿用コンタクトガラス２２１上に載置された原稿Ｍを当該載置原稿用コンタクトガラス２２１へ押さえ付ける機能のみを備えた文字通りの蓋体であってもよい。
【００８３】
（３）上記の実施形態においては、複合機１０として色毎に４台の感光体ドラム１４１を備えた、いわゆるカラー印刷用のものが採用されているが、本発明は、複合機１０がカラー印刷用のものであることに限定されるものではなく、一色のみで印刷出力する、いわゆるモノトーン印刷用のものであってもよい。
【００８４】
（４）上記の実施形態においては、複合機１０として両面印刷が可能なものが採用されているが、本発明は、複合機１０が両面印刷可能なもので得あることに限定されるものではなく、片面印刷のみが可能なものであってもよい。
【００８５】
（５）上記の実施形態においては、用紙貯留部１３に４段で用紙トレイ１３１が装着されているが、本発明は、用紙トレイ１３１が４段であることに限定されるものではなく、４段未満であってもよいし、４段を越えてもよい。
【００８６】
（６）上記の実施形態においては、姿勢変更構造４０として本体部１１と原稿読取り部１２との間に架設されたリンクロッド４１値と、原稿読取り部１２の姿勢変更時に当該原稿読取り部１２の底部を支持する支持ローラ４２と、原稿読取り部１２の底部に設けられて支持ローラ４２の周面に当接されるガイドレール４３とを備えたものが採用されているが、本発明は、姿勢変更構造４０がリンクロッド４１，支持ローラ４２およびガイドレール４３とから構成されるものであることに限定されるものではなく、姿勢変更構造４０として各種のリンク構造が採用されたものを適用することができる。
【００８７】
図８は、かかる各種のリンク構造を例示するための姿勢変更構造の他の実施形態（第２の実施形態）を示す説明図であり、（イ）は、原稿読取り部が覆い姿勢に姿勢設定された状態、（ロ）は、原稿読取り部が覆い姿勢から収納姿勢へ向けて姿勢変更されつつある状態、（ハ）は、原稿読取り部が収納姿勢に姿勢設定された状態をそれぞれ示している。
【００８８】
図８に示すように、この実施形態に係る姿勢変更構造４０′は、原稿読取り部１２の筐体２０の両側部後方位置から互いに離間する方向に向けて突設された幅方向（図８の紙面に直交する方向）一対の被案内突起４６と、これら一対の被案内突起４６を案内するべく装置本体１１１の両側面後方位置それぞれ設けられた幅方向一対のガイド板４７とを備えて構成されている。前記ガイド板４７は、逆Ｌ字状に形成され、上方と後方とが装置本体１１１から外方に向かって突出した状態になっている。
【００８９】
かかるガイド板４７には、被案内突起４６が嵌挿される逆Ｌ字形状のガイド長孔４７１が穿設されている。このガイド長孔４７１は、水平方向に延びた水平ガイド孔４７２と、この水平ガイド孔４７２の後端部から下方に向けて垂下された垂直ガイド孔４７３とからなっており、原稿読取り部１２は、被案内突起４６がこれらの水平ガイド孔４７２および垂直ガイド孔４７３に案内されることによって覆い姿勢Ｓ１から収納姿勢Ｓ２へ向けて姿勢変更し得るようになっている。
【００９０】
すなわち、原稿読取り部１２が覆い姿勢Ｓ１に姿勢設定された状態では、図８の（イ）に示すように、被案内突起４６が水平ガイド孔４７２の前端部（図８における左端部）に位置した状態になっている。この状態で、原稿読取り部１２の筐体２０を手作業で後方に向かって押圧すると、被案内突起４６が水平ガイド孔４７２内を後方に向かって移動しつつ当該原稿読取り部１２は後方に向けてスライドされる。
【００９１】
そして、被案内突起４６が水平ガイド孔４７２の後端に到達した状態で、図８の（ロ）に示すように、被案内突起４６回りに時計方向に向けて回動させると、当該被案内突起４６は、垂直ガイド孔４７３に案内され得る状態になるため、この状態で原稿読取り部１２を下降させることにより、原稿読取り部１２は、図８の（ハ）に示すように、収納姿勢Ｓ２に姿勢設定されることになる。
【００９２】
一旦収納姿勢Ｓ２に姿勢設定された原稿読取り部１２を元の覆い姿勢Ｓ１に戻すに際しては、上記と逆の操作を原稿読取り部１２に施せばよい。
【００９３】
図９は、かかる各種のリンク構造を例示するための姿勢変更構造のさらに他の実施形態（第３の実施形態）を示す説明図であり、（イ）は、原稿読取り部が覆い姿勢に姿勢設定された状態、（ロ）は、原稿読取り部が覆い姿勢から収納姿勢へ向けて姿勢変更されつつある状態、（ハ）は、原稿読取り部が収納姿勢に姿勢設定された状態をそれぞれ示している。
【００９４】
図９に示すように、第３実施形態に係る姿勢変更構造４０″は、原稿読取り部１２の筐体２０の両側部後方位置から互いに離間する方向に向けて突設された幅方向（図９の紙面に直交する方向）一対のブラケット４８と、これら一対のブラケット４８間に挟持された状態で原稿読取り部１２の筐体２０の両側面に固定された幅方向一対の被ガイド板４９とを備えて構成されている。前記各ブラケット４８は、それぞれ装置本体１１１の後方上縁部から上後方に向かって突設され、各上縁部に互いに対向した方向に向けて突設された案内突起４８１を有している。また、前記被ガイド板４９は、前記亜４８１と対向するようにその後部（図９の右方）が装置本体１１１から若干後方に向かって突出した状態になっている。
【００９５】
かかる被ガイド板４９には、案内突起４８１が嵌挿される逆Ｌ字形状の被ガイド長孔４９１が穿設されている。この被ガイド長孔４９１は、被ガイド板４９の延びる方向に延びた第１長孔４９２と、この第１長孔４９２の後端部から原稿読取り部１２が覆い姿勢Ｓ１に姿勢設定された状態で情報に向けて延設された第２長孔４９３とからなっており、原稿読取り部１２は、かかる被ガイド長孔４９１が案内突起４８１に案内されることによって覆い姿勢Ｓ１から収納姿勢Ｓ２へ向けて姿勢変更し得るようになっている。
【００９６】
すなわち、原稿読取り部１２が覆い姿勢Ｓ１に姿勢設定された状態では、図９の（イ）に示すように、案内突起４８１が第２長孔４９３の上端に位置した状態になっている。この状態で、原稿読取り部１２の筐体２０を手作業で案内突起４８１回りに時計方向に向かって回動すると、当該原稿読取り部１２は、図９の（ロ）に示すように、装置本体１１１に対して開いた状態になる。この状態で原稿読取り部１２を後方に向けって押圧することにより案内突起４８１が第２長孔４９３の基端側に位置して筐体２０の装置本体１１１に対する干渉が解除されるため、以後、原稿読取り部１２を下降させることにより、原稿読取り部１２は、第１長孔４９２が案内突起４８１に案内されつつ、図９の（ハ）に示すように、収納姿勢Ｓ２に姿勢設定されることになる。
【００９７】
一旦収納姿勢Ｓ２に姿勢設定された原稿読取り部１２を元の覆い姿勢Ｓ１に戻すに際しては、上記と逆の操作を原稿読取り部１２に施せばよい。
【００９８】
（７）上記の実施形態においては、閉止維持部材５０の操作レバー５２を操作することによって筐体２０と自動原稿送給装置３０との間の一体化および一体化解除を行うようになされているが、こうする代わりに、筐体２０を覆い姿勢Ｓ１から収納姿勢Ｓ２へ向けて姿勢変更するに際し、筐体２０の回動動作と連動して自動的に筐体２０と自動原稿送給装置３０とを一体化する一方、筐体２０を収納姿勢Ｓ２から覆い姿勢Ｓ１へ戻すに際し、筐体２０の回動動作と連動して自動的に両者の一体化を解除する機構を設けてもよい。
【図面の簡単な説明】
【００９９】
【図１】本発明に係る複合機の第１の実施形態を示す外観斜視図である。
【図２】図１に示す複合機の内部構造の一実施形態を説明するための正面断面視の説明図である。
【図３】原稿読取り部が覆い姿勢に姿勢設定された状態を示す斜視図であり、自動原稿送給装置が閉止姿勢に姿勢設定された状態を示している。
【図４】原稿読取り部が覆い姿勢に姿勢設定された状態を示す斜視図であり、自動原稿送給装置が開放姿勢に姿勢設定された状態を示している。
【図５】自動原稿送給装置が覆い姿勢から収納姿勢へ向けて姿勢変更しつつある状態を示す斜視図である。
【図６】自動原稿送給装置が収納姿勢に姿勢設定された状態を示す斜視図である。
【図７】本発明の作用を説明するための複合機の右側面図であり、（イ）は、原稿読取り部が覆い姿勢に姿勢設定された状態、（ロ）は、原稿読取り部が覆い姿勢から収納姿勢へ向けて姿勢変更されつつある状態、（ハ）は、原稿読取り部が収納姿勢に姿勢設定された状態をそれぞれ示している。
【図８】姿勢変更構造の第２の実施形態を示す説明図であり、（イ）は、原稿読取り部が覆い姿勢に姿勢設定された状態、（ロ）は、原稿読取り部が覆い姿勢から収納姿勢へ向けて姿勢変更されつつある状態、（ハ）は、原稿読取り部が収納姿勢に姿勢設定された状態をそれぞれ示している。
【図９】姿勢変更構造の第３の実施形態を示す説明図であり、（イ）は、原稿読取り部が覆い姿勢に姿勢設定された状態、（ロ）は、原稿読取り部が覆い姿勢から収納姿勢へ向けて姿勢変更されつつある状態、（ハ）は、原稿読取り部が収納姿勢に姿勢設定された状態をそれぞれ示している。
【符号の説明】
【０１００】
１０  複合機（画像形成装置）
１１  本体部                  １１１  装置本体
１１１ａ  側壁                １１２  排紙搬送路
１１３  返送搬送路            １１４  反転搬送路
１２  原稿読取り部            １３  用紙貯留部
１３１  用紙トレイ            １３２  ピックアップローラ
１３３  給紙搬送路            １４  画像形成部
１４Ｙ  イエロー用ユニット    １４Ｍ  マゼンタ用ユニット
１４Ｃ  シアン用ユニット      １４Ｋ  ブラック用ユニット
１４１  感光体ドラム          １４２  現像装置
１４３  帯電器                １４４  露光装置
１４５  クリーニング装置      １４６  搬送ベルト
１４７  駆動ローラ            １４８  従動ローラ
１４９  転写ローラ            １５  定着部
１５１  ヒートローラ          １５２  加圧ローラ
１６  用紙反転部              １６１  中間トレイ
１６２  切換ガイド            １６３  反転ローラ対
１７  用紙排出部              １７１  上面側縁部
１７２  上面後縁部            １７３  排紙トレイ
１７４  排紙口                ２０  筐体
２１  天板                    ２２  コンタクトガラス
２２１  載置原稿用コンタクトガラス
２２２  自動給紙用コンタクトガラス
２３  光学系ユニット          ３０  自動原稿送給装置（原稿押え用蓋体）
３１  原稿トレイ              ３２  原稿排出トレイ
３３  原稿送り部              ３４  係止孔
４０，４０′，４０″  姿勢変更構造
４１  リンクロッド            ４２  支持ローラ
４２１  ローラ軸              ４３  ガイドレール
４４  上部連結軸              ４５  下部連結軸
４６  被案内突起              ４７  ガイド板
４７１  ガイド長孔            ４７２  水平ガイド孔
４７３  垂直ガイド孔          ４８  ブラケット
４８１  案内突起              ４９  被ガイド板
４９１  被ガイド長孔          ４９２  第１長孔
４９３  第２長孔              ５０  閉止維持部材
５１  係止爪                  ５２  操作レバー
６０  パネルボード            ６１  表示パネル
６２  テンキー                ６３  スタートボタン
６４  モード切換えキー        ６５  コピーキー
６６  プリンタキー            ６７  ファクシミリキー
６８  スキャナキー            Ｍ  原稿
Ｐ  用紙                      Ｐ１  用紙束
Ｓ１  覆い姿勢                Ｓ２  収納姿勢
Ｓ３  閉止姿勢                Ｓ４  開放姿勢
【図１】
2006276620.tif 000003
【図２】
2006276620.tif 000004
【図３】
2006276620.tif 000005
【図４】
2006276620.tif 000006
【図５】
2006276620.tif 000007
【図６】
2006276620.tif 000008
【図７】
2006276620.tif 000009
【図８】
2006276620.tif 000010
【図９】
2006276620.tif 000011